(57)【要約】      （修正有）【課題】ロック解除方法が特定の言語で表示され、使用者がロック解除の手順を理解できない場合でも、ロック状態を解除する方法を提供する。【解決手段】ロック状態が設定さているときにキー操作されると、ロック状態が設定されていることを示すオブジェクトがディスプレイ３０に表示される。プロセッサ２４はタッチパネル３８にスライドの操作が行われると、スライドの操作に伴いオブジェクトの表示を更新し、ロック状態を解除する。距離および方向を算出し、上方向に所定距離のスライドが行われると、ロック状態は解除される。携帯電話機１０は、ロック状態を解除するための操作を促すオブジェクトを表示することで、使用者が利用する言語に関係なく、ロック状態を解除させる。【選択図】図１
2014195311.tif 000002
【特許請求の範囲】
【請求項１】
タッチパネルおよび前記タッチパネルに対する接触部材の接触を検出する接触検出部を有し、前記接触検出部が検出した接触に基づく所定の処理を実行しないロック状態が設定できる、携帯端末であって、
前記ロック状態が設定されていることを示すオブジェクトを表示する表示部、
前記ロック状態が設定されている場合において、前記接触検出部が、前記タッチパネルに対して接触部材を接触して移動させたことを検出したとき、前記表示部によって表示された前記オブジェクトの表示を更新する更新部、および
前記更新部による前記オブジェクトの表示の更新が、所定の更新であった場合、前記ロック状態を解除する解除部を備える、携帯端末。
【請求項２】
タッチパネルおよび前記タッチパネルに対する接触部材の接触を検出する接触検出部を有し、前記接触検出部が検出した接触に基づく所定の処理を実行しないロック状態が設定できる、携帯端末であって、
前記ロック状態が設定されていることを示すオブジェクトを表示する表示部、
前記ロック状態が設定されている場合において、前記接触検出部が、前記タッチパネルに対して接触部材を接触して移動させたことを検出したとき、最初に接触した位置から接触部材が移動した方向を判定する判定部、
前記判定部によって判定された方向が特定の方向であった場合、前記表示部によって表示された前記オブジェクトの表示を更新する更新部、および
前記更新部による前記オブジェクトの表示の更新が、所定の更新であった場合、前記ロック状態を解除する解除部を備える、携帯端末。
【請求項３】
前記タッチパネルに対して接触部材を接触して移動させたことを検出したとき、最初に接触した位置から接触部材が移動した距離を算出する算出部をさらに備え、
前記解除部は、前記判定部によって判定された方向が特定の方向であり、前記算出部によって算出された距離が所定値以上であるとき、前記ロック状態を解除する、請求項２記載の携帯端末。
【請求項４】
前記算出部によって算出された距離が前記所定値となる前に、接触検出部によって前記タッチパネルから接触部材が離されたことが検出されたとき、前記オブジェクトの表示が初期化される、請求項３記載の携帯端末。
【請求項５】
タッチパネルおよび前記タッチパネルに対する接触部材の接触を検出する接触検出部を有し、前記接触検出部が検出した接触に基づく所定の処理を実行しないロック状態が設定できる、携帯端末のプロセッサを、
前記ロック状態が設定されていることを示すオブジェクトを表示する表示部、
前記ロック状態が設定されている場合において、前記接触検出部が、前記タッチパネルに対して接触部材を接触して移動させたことを検出したとき、前記表示部によって表示された前記オブジェクトの表示を更新する更新部、および
前記更新部による前記オブジェクトの表示の更新が、所定の更新であった場合、前記ロック状態を解除する解除部として機能させる、ロック解除プログラム。
【請求項６】
タッチパネルおよび前記タッチパネルに対する接触部材の接触を検出する接触検出部を有し、前記接触検出部が検出した接触に基づく所定の処理を実行しないロック状態が設定できる、携帯端末のロック解除方法であって、
前記ロック状態が設定されていることを示すオブジェクトを表示し、
前記ロック状態が設定されている場合において、前記接触検出部が、前記タッチパネルに対して接触部材を接触して移動させたことを検出したとき、表示された前記オブジェク
トの表示を更新し、そして
前記オブジェクトの表示の更新が、所定の更新であった場合、前記ロック状態を解除する、ロック解除方法。
【発明の詳細な説明】
【技術分野】
【０００１】
この発明は、携帯端末、ロック解除プログラムおよびロック解除方法に関し、特にロック状態を設定することができる、携帯端末、ロック解除プログラムおよびロック解除方法に関する。
【背景技術】
【０００２】
従来、ロック状態を設定することができる携帯端末は広く知られており、この種の装置の一例が特許文献１に開示されている。この背景技術のテレビジョン受像機は、リモコンにおける任意の操作キーをロックすることができる、キーロック機能を有する。たとえば、ロックされたキーが操作されると、ロック解除手順ＯＳＤ(On Screen Display)が表示
部に表示される。そして、一定時間内にロック解除操作が行われると、キーロックを解除する。
【特許文献１】特開２００７−１３５３０号公報［H04N 5/445, H04Q 9/00］
【発明の概要】
【発明が解決しようとする課題】
【０００３】
ところが、特許文献１のテレビジョン受像機において、ロック解除方法が特定の言語で表示された場合、使用者がロック解除の手順を理解できないことが考えられる。
【０００４】
それゆえに、この発明の主たる目的は、新規な、携帯端末、ロック解除プログラムおよびロック解除方法を提供することである。
【０００５】
この発明の他の目的は、使用者が理解できる言語に関係なく、ロック状態を解除させることができる、携帯端末、ロック解除プログラムおよびロック解除方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、タッチパネルおよびタッチパネルに対する接触部材の接触を検出する接触検出部を有し、接触検出部が検出した接触に基づく所定の処理を実行しないロック状態が設定できる、携帯端末であって、ロック状態が設定されていることを示すオブジェクトを表示する表示部、ロック状態が設定されている場合において、接触検出部が、タッチパネルに対して接触部材を接触して移動させたことを検出したとき、表示部によって表示されたオブジェクトの表示を更新する更新部、および更新部によるオブジェクトの表示の更新が、所定の更新であった場合、ロック状態を解除する解除部を備える、携帯端末である。
【０００８】
第１の発明では、携帯端末（１０：実施例において対応する部分を例示する参照符号。以下、同じ。）は、指などの接触部材によってタッチ、リリースおよびスライドなどの操作が行われるタッチパネル（３８）および、それらの操作を検出する接触検出部（３６）を有する。また、携帯端末には、タッチパネルに対する操作によって電話発信やメール送信などの携帯端末が備える所定の処理（機能）が実行されないようにする、ロック状態を設定することができる。
【０００９】
たとえば、表示部（２４，Ｓ２１）は、ロック状態が設定されているときにキー操作がされると、カーテンや、扉および花などのオブジェクト（Ｃｏ，Ｄｏ，Ｆｏ）を表示することで、タッチパネルに対する操作を促す。また、更新部（２４，Ｓ３５）は、タッチパネルに対して接触部材が接触して移動する操作（スライド）が検出されると、オブジェクトの表示位置を更新する。そして、解除部（２４，Ｓ３９）は、たとえば、所定の更新としてオブジェクトの表示が消去されると、ロック状態を解除する。
【００１０】
第１の発明によれば、使用者が理解できる言語に関係なく、直感的な操作によってロック状態を解除させることができる。
【００１１】
第２の発明は、タッチパネルおよびタッチパネルに対する接触部材の接触を検出する接触検出部を有し、接触検出部が検出した接触に基づく所定の処理を実行しないロック状態が設定できる、携帯端末であって、ロック状態が設定されていることを示すオブジェクトを表示する表示部、ロック状態が設定されている場合において、接触検出部が、タッチパネルに対して接触部材を接触して移動させたことを検出したとき、最初に接触した位置から接触部材が移動した方向を判定する判定部、判定部によって判定された方向が特定の方向であった場合、表示部によって表示されたオブジェクトの表示を更新する更新部、および更新部によるオブジェクトの表示の更新が、所定の更新であった場合、ロック状態を解除する解除部を備える、携帯端末である。
【００１２】
第２の発明では、第１の発明に加えて、判定部（２４，Ｓ２９）を備える。また、判定部は、タッチパネルに対して接触部材を接触して移動させたことを検出したとき、最初に接触した位置から接触部材が移動した方向を判定する。そして、更新部は、判定された方向が特定の方向であるとき、表示部によって表示されたオブジェクトの表示を更新する。
【００１３】
第２の発明によれば、第１の発明と同様、使用者が理解できる言語に関係なく、直感的な操作によってロック状態を解除させることができる。
【００１４】
また、特定の方向にスライドしなければロック状態が解除されないようにすることで、誤操作によってロック状態が解除されることを防ぐことができる。
【００１５】
第３の発明は、第２の発明に従属し、タッチパネルに対して接触部材を接触して移動させたことを検出したとき、最初に接触した位置から接触部材が移動した距離を算出する算出部をさらに備え、解除部は、判定部によって判定された方向が特定の方向であり、算出部によって算出された距離が所定値以上であるとき、ロック状態を解除する。
【００１６】
第３の発明では、算出部（２４，Ｓ３３）は、たとえば、三平方の定理を利用して、最初に接触した位置から接触部材が移動した距離を算出する。そして、解除部は、特定の方向に、距離が所定値以上のスライドがされると、ロック状態を解除する。
【００１７】
第３の発明によれば、スライドの距離が所定値以上にならなければロック状態が解除されないようにすることで、誤操作によってロック状態が解除されることを防ぐことができる。
【００１８】
第４の発明は、第３の発明に従属し、算出部によって算出された距離が所定値となる前に、接触検出部によってタッチパネルから接触部材が離されたことが検出されたとき、オブジェクトの表示が初期化される。
【００１９】
第４の発明では、たとえば、接触部材の移動中に接触部材がタッチパネルから離されると、オブジェクトの表示が初期化される。
【００２０】
第４の発明によれば、携帯端末は、ロック状態を解除する操作が正しくなければ、オブジェクトの表示を最初の状態に戻すことができる。
【００２１】
第５の発明は、タッチパネル（３８）およびタッチパネルに対する接触部材の接触を検出する接触検出部（３６）を有し、接触検出部が検出した接触に基づく所定の処理を実行しないロック状態が設定できる、携帯端末（１０）のプロセッサ（２４）を、ロック状態が設定されていることを示すオブジェクト（Ｃｏ，Ｄｏ，Ｆｏ）を表示する表示部（Ｓ２１）、ロック状態が設定されている場合において、接触検出部が、タッチパネルに対して接触部材を接触して移動させたことを検出したとき、表示部によって表示されたオブジェクトの表示を更新する更新部（Ｓ３５）、および更新部によるオブジェクトの表示の更新が、所定の更新であった場合、ロック状態を解除する解除部（Ｓ３９）として機能させる、ロック解除プログラムである。
【００２２】
第５の発明でも、第１の発明と同様に、使用者が理解できる言語に関係なく、直感的な操作によってロック状態を解除させることができる。
【００２３】
第６の発明は、タッチパネル（３８）およびタッチパネルに対する接触部材の接触を検出する接触検出部（３６）を有し、接触検出部が検出した接触に基づく所定の処理を実行しないロック状態が設定できる、携帯端末（１０）のロック解除方法であって、ロック状態が設定されていることを示すオブジェクト（Ｃｏ，Ｄｏ，Ｆｏ）を表示し（Ｓ２１）、ロック状態が設定されている場合において、接触検出部が、タッチパネルに対して接触部材を接触して移動させたことを検出したとき、表示されたオブジェクトの表示を更新し（Ｓ３５）、そしてオブジェクトの表示の更新が、所定の更新であった場合、ロック状態を解除する（Ｓ３９）、ロック解除方法である。
【００２４】
第６の発明でも、第１の発明と同様、使用者が理解できる言語に関係なく、直感的な操作によってロック状態を解除させることができる。
【発明の効果】
【００２５】
この発明によれば、使用者が理解できる言語に関係なく、直感的な操作によってロック状態を解除させることができる、携帯端末を提供することができる。
【００２６】
この発明の上述の目的、その他の目的、特徴および利点は、図面を参照して行う以下の実施例の詳細な説明から一層明らかとなろう。
【図面の簡単な説明】
【００２７】
【図１】図１はこの発明の一実施例の携帯電話機の電気的な構成を示す図である。
【図２】図２は図１に示す携帯電話機の外観を示す図である。
【図３】図３は図１に示す携帯電話機に設定されたロック状態を解除する手順の一例を示す図である。
【図４】図４は図１に示すＲＡＭのメモリマップの一例を示す図である。
【図５】図５は図１に示すプロセッサのロック状態設定処理を示すフロー図である。
【図６】図６は図１に示すプロセッサのロック状態解除処理を示すフロー図である。
【図７】図７は図１に示す携帯電話機に設定されたロック状態を解除する手順の他の一例を示す図である。
【図８】図８は図１に示す携帯電話機に設定されたロック状態を解除する手順のその他の一例を示す図である。
【発明を実施するための形態】
【００２８】
＜第１実施例＞
図１を参照して、この実施例の携帯電話機１０は、携帯端末の一種であり、CPUまたは
コンピュータと呼ばれるプロセッサ２４を含む。また、このプロセッサ２４には、無線通信回路１４、Ａ／Ｄ１６、Ｄ／Ａ２０、キー入力装置２６、表示ドライバ２８、フラッシュメモリ３２、ＲＡＭ３４およびタッチパネル制御回路３６が接続される。無線通信回路１４にはアンテナ１２が接続され、Ａ／Ｄ１６にはマイク１８が接続され、Ｄ／Ａ２０にはアンプ（図示せず）を介してスピーカ２２が接続される。また、表示ドライバ２８には、ディスプレイ３０が接続される。そして、タッチパネル制御回路３６にはタッチパネル３８が接続される。
【００２９】
プロセッサ２４は、制御用のICであり、携帯電話機１０の全体制御を司る。また、ＲＡＭ３４は、プロセッサ２４の作業領域（描画領域を含む）ないしバッファ領域として用いられる。フラッシュメモリ３２には、携帯電話機１０の文字、画像、音声、音および映像のようなコンテンツのデータが記録される。
【００３０】
Ａ／Ｄ１６は、当該Ａ／Ｄ１６に接続されたマイク１８を通して入力される音声ないし音についてのアナログ音声信号を、デジタル音声信号に変換する。Ｄ／Ａ２０は、デジタル音声信号をアナログ音声信号に変換（復号）して、アンプを介してスピーカ２２に与える。したがって、アナログ音声信号に対応する音声ないし音がスピーカ２２から出力される。
【００３１】
キー入力装置２６は、図２（Ａ）に示す、通話キー２６ａ、メニューキー２６ｂおよび終話キー２６ｃを備える。また、使用者が操作したキーの情報（キーデータ）はプロセッサ２４に入力される。なお、キー入力装置２６に含まれる各キーが操作されると、クリック音が鳴る。そして、使用者は、クリック音を聞くことで、キー操作に対する操作感を得ることができる。
【００３２】
表示ドライバ２８は、プロセッサ２４の指示の下、当該表示ドライバ２８に接続されたディスプレイ３０の表示を制御する。また、表示ドライバ２８は表示する画像データを一時的に記憶するVRAMを含む。そして、プロセッサ２４は、ディスプレイ３０に表示する画像データを、このVRAMに記憶させる。
【００３３】
タッチパネル３８は、指（接触部材）が表面に接近して生じた電極間の静電容量の変化を検出する静電容量方式で、たとえば１本または複数本の指がタッチパネル３８に触れたことを検出する。また、タッチパネル３８は、ディスプレイ３０の画面内で、任意の位置を指示するためのポインティングデバイスである。たとえば、タッチパネル３８は、その表面を指で、押したり、撫でたり、触られたりすることにより操作されると、その操作を検出する。そして、接触検出部として機能するタッチパネル制御回路３６は、タッチパネル３８に指が触れると、その指の位置を特定し、操作された位置を示す座標のデータをプロセッサ２４に出力する。つまり、使用者は、タッチパネル３８の表面を指で、押したり、撫でたり、触れたりすることによって、操作の方向や図形などを携帯電話機１０に入力することができる。
【００３４】
ここで、使用者がタッチパネル３８の表面を指で触れる操作を「タッチ（接触）」と言うことにする。一方、タッチパネル３８から指を離す操作を「離す」または「リリース」と言うことにする。タッチによって示された座標を「タッチ点（第１位置）」、リリースによって示された座標を「リリース点（第２位置）」と言うことにする。また、タッチパネル３８の表面を撫でる操作、またはタッチパネル３８に対して指を接触したまま移動させる操作を「スライド」と言うことにする。さらに、使用者がタッチパネル３８の表面をタッチして、続けてリリースする操作を「タッチアンドリリース」と言うことにする。そ
して、タッチ、リリース、スライドおよびタッチアンドリリースなどのタッチパネル３８に対して行う操作を、まとめて「タッチ操作（接触操作）」と言うことにする。
【００３５】
なお、接触部材は指だけに限らず、導電体などが含まれていてもよい。そして、タッチ操作は、導電体が先端に取り付けられたタッチペンなどによって行われてもよい。また、タッチパネル３８の検出方式には、表面型の静電容量方式が採用されてもよいし、抵抗膜方式、超音波方式、赤外線方式および電磁誘導方式などであってもよい。
【００３６】
無線通信回路１４は、CDMA方式での無線通信を行うための回路である。たとえば、使用者がキー入力装置２６を用いて電話発信を指示すると、無線通信回路１４は、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００３７】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ２０によってアナログ音声信号に変換された後、スピーカ２２から出力される。一方、マイク１８を通して取り込まれた送話音声信号は、Ａ／Ｄ１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００３８】
また、相手の電話機からの発呼信号がアンテナ１２によって受信されると、無線通信回路１４は、電話着信（着呼と言うこともある。）をプロセッサ２４に通知する。これに応じて、プロセッサ２４は、表示ドライバ２８を制御して、着信通知に記述された発信元情報（電話番号）をディスプレイ３０に表示する。また、これとほぼ同時に、プロセッサ２４は、図示しないスピーカから着信音（着信メロディ、着信音声と言うこともある。）を出力させる。さらに、プロセッサ２４は電話着信をユーザに通知するために、携帯電話機１０を振動させたり、図示しないLEDを発光させたりする。
【００３９】
そして、使用者が、通話キー２６ａを用いて応答操作を行うと、無線通信回路１４は、プロセッサ２４の指示の下、電話着信処理を実行し、通信可能状態が確立され、プロセッサ２４は上述した通常の通話処理を実行する。
【００４０】
また、通話可能状態に移行した後に終話キー２６ｃによって通話終了操作が行われると、プロセッサ２４は、無線通信回路１４を制御して、通話相手に通話終了信号を送信する。通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００４１】
図２（Ａ）は、携帯電話機１０の表面の外観を示す外観図であり、図２（Ｂ）は携帯電話機１０の裏面の外観を示す外観図である。図２（Ａ）を参照して、携帯電話機１０は、ストレート型の形状をしており、平面矩形の筐体Ｃを有する。図示しないマイク１８は、筐体Ｃに内蔵され、内蔵されたマイク１８に通じる開口ＯＰ２は筐体Ｃの長さ方向一方の表面に設けられる。同じく、図示しないスピーカ２２は、筐体Ｃに内蔵され、内蔵されたスピーカ２２に通じる開口ＯＰ１は、筐体Ｃの長さ方向他方の表面に設けられる。ディス
プレイ３０は、モニタ画面が筐体Ｃの表面側から見えるように取り付けられる。そして、ディスプレイ３０にはタッチパネル３８が設けられる。
【００４２】
キー入力装置２６に含まれる各種キーは、通話キー２６ａ、メニューキー２６ｂおよび終話キー２６ｃを備える。そして、これらのキーは筐体Ｃの表面に設けられる。
【００４３】
たとえば、使用者は、ディスプレイ３０に表示されたダイヤルキーに対して、タッチ操作を行うことで電話番号を入力し、通話キー２６ａによって電話発信操作を行う。そして、使用者は、通話が終了すると、終話キー２６ｃによって通話終了操作を行う。また、使用者は、ディスプレイ３０に表示されたソフトキーおよびメニューに対してタッチ操作を行うことで、メニューの選択や確定を行う。そして、使用者は、終話キー２６ｃを長押しすることで携帯電話機１０の電源をオン／オフする。
【００４４】
なお、図２（Ａ），（Ｂ）において、アンテナ１２、無線通信回路１４、Ａ／Ｄ１６、Ｄ／Ａ２０、プロセッサ２４、表示ドライバ２８、フラッシュメモリ３２、ＲＡＭ３４、タッチパネル制御回路３６は筐体Ｃに内蔵されているため、図２（Ａ），（Ｂ）では図示されない。
【００４５】
ここで、携帯電話機１０は、電話発信やメール送受信などの携帯電話機１０で利用可能な所定の機能が実行しないようにする、ロック機能を有している。たとえば、終話キー２６ｃが操作されると、ディスプレイ３０およびタッチパネル３８の電源がオフとなるとともにロック状態が設定され、電話機能などを実行するためのタッチ操作が無効になる。さらに、ロック状態が設定された状態で、ディスプレイ３０の電源がオンにされると、タッチパネル３８の電源も同時にオンにされるため、タッチ操作が検出されるようになる。そして、後述するタッチ操作が行われると、ロック状態が解除される。
【００４６】
まず、図３（Ａ）を参照して、ロック状態が設定されている状態で、メニューキー２６ｂが操作されると、ディスプレイ３０の電源がオンになり、ロック画面が表示される。また、ディスプレイ３０の表示領域は、状態表示領域６０および機能表示領域６２から構成される。状態表示領域６０には、アンテナ１２による電波受信状態を示すアイコン（ピクトと言うこともある。）、二次電池の残電池容量を示すアイコンおよび現在日時が表示される。なお、状態表示領域６０に表示される現在時刻は、図示しないRTC(Real Time Clock)が出力する時刻情報に基づく。
【００４７】
一方、機能表示領域６２に表示されるロック画面は、待機状態であることを示す待機画像と、その待機画像を隠し、かつ使用者にスライドを促すカーテンオブジェクトＣｏとから構成される。そして、任意の位置から上方向（特定の方向）にスライドされると、図３（Ｂ）に示すようにカーテンオブジェクトＣｏによって隠された背景画像が徐々に表示され始める。
【００４８】
また、最初にタッチ（接触）した位置から指が移動したときのスライドの方向を判定する場合、タッチパネル３８に対して現在タッチしている位置（タッチ位置）と、タッチ点とから判定される。具体的に説明すると、タッチ点の縦軸座標に対して、現在のタッチ位置の縦軸座標が上側にあるかどうかで判定される。たとえば、タッチパネル３８の座標系の原点が図３（Ａ）における左下である場合、タッチ点の縦軸座標が３０であり、タッチ位置の縦軸座標が７０であれば、２つの縦軸座標の差分が「＋４０（＝７０−３０）」であるため、スライドの方向は上方向と判定される。一方、タッチ点の縦軸座標が７０であり、現在のタッチ位置の縦軸座標が２０であれば、差分が「−５０（＝２０−７０）」であるため、スライドの方向は下方向と判定される。つまり、２つの縦軸座標の差分が「プラス（差分＞０）」であれば上向きと判定され、「マイナス（差分＜０）」であれば下向
きと判定される。ただし、２つの縦軸座標の差分が「０」である場合は、本実施例では上方向として判定される。なお、タッチパネル３８の座標系の原点が左上である場合は、上向きと下向きとの判定条件が逆転する。
【００４９】
そして、スライドの距離が所定距離（所定値）以上になると、図３（Ｃ）に示すように、カーテンオブジェクトＣｏはディスプレイ３０に表示されなくなり、ロック状態が解除される。ただし、ロック状態を解除する操作が中断された場合、カーテンオブジェクトＣｏは初期の表示に戻される。
【００５０】
このように、使用者が、特定の方向に、所定距離以上のスライドを行わなければ、ロック状態が解除されないため、誤操作によってロック状態が解除されることを防ぐことができる。また、スライドの距離に応じてカーテンオブジェクトＣｏの表示が変化するため、使用者は、ロック状態を解除する操作が正しく入力されていることや、ロック状態の解除に必要なタッチ操作量（スライド量）を知ることができる。さらに、携帯電話機１０は、ロック状態を解除する操作が正しくなければ、ディスプレイ３０の表示を最期の状態に戻すことができる。
【００５１】
なお、図３（Ａ）−（Ｃ）で示される背景画像は、使用者によって予め設定されてもよいし、携帯電話機１０を開発するメーカーによって規定された画像であってもよい。
【００５２】
また、本実施例では、タッチパネル制御回路３６およびタッチパネル３８の電源をオフにすることで、タッチを無効にしている。したがって、携帯電話機１０の消費電力がより抑えられる。ただし、他の実施例では、タッチパネル制御回路３６およびタッチパネル３８の電源をオフにすることなく、プロセッサ２４が入力されたタッチ座標を無視する処理を実行することで、タッチが無効にされてもよい。
【００５３】
図４は、ＲＡＭ３４のメモリマップ３００を示す図である。ＲＡＭ３４のメモリマップ３００には、プログラム記憶領域３０２およびデータ記憶領域３０４が含まれる。また、プログラムおよびデータの一部は、フラッシュメモリ３２から一度に全部または必要に応じて部分的かつ順次的に読み出され、ＲＡＭ３４に記憶されてからプロセッサ２４によって処理される。
【００５４】
プログラム記憶領域３０２には、携帯電話機１０を動作させるためのプログラムが記憶されている。たとえば、携帯電話機１０を動作させるためのプログラムは、ロック状態設定プログラム３１０およびロック状態解除プログラム３１２などから構成されている。ロック状態設定プログラム３１０は、携帯電話機１０にロック状態を設定するためのプログラムである。ロック状態解除プログラム３１２は、携帯電話機１０に設定されたロック状態を解除するためのプログラムである。
【００５５】
なお、図示は省略するが、携帯電話機１０を動作させるためのプログラムには、電話着信状態を通知するためのプログラムおよび通話状態を確立するためのプログラムなどが含まれる。
【００５６】
データ記憶領域３０４には、タッチバッファ３３０などが設けられるとともに、タッチ座標マップデータ３３２、オブジェクトデータ３３４などが記憶される。また、データ記憶領域３０４には、ロックフラグ３３６、方向フラグ３３８および無操作カウンタ３４０なども設けられる。
【００５７】
タッチバッファ３３０には、タッチパネル制御回路３６から出力されるタッチ点、リリース点および現在のタッチ位置を示す座標が一時的に記憶される。
【００５８】
タッチ座標マップデータ３３２は、タッチ操作におけるタッチ座標と、ディスプレイ３０の表示座標とを対応付けるためのデータである。つまり、プロセッサ２４は、タッチ座標マップデータ３３２に基づいて、タッチパネル３８に対して行われたタッチ操作の結果を、ディスプレイ３０の表示に対応づける。オブジェクトデータ３３４は、ディスプレイ３０に表示される、カーテンオブジェクトＣｏの画像データである。
【００５９】
ロックフラグ３３６は、ロック状態が設定されているか否かを判断するためのフラグである。たとえば、ロックフラグ３３６は、１ビットのレジスタで構成される。ロックフラグ３３６がオン（成立）されると、レジスタにはデータ値「１」が設定される。一方、ロックフラグ３３６がオフ（不成立）されると、レジスタにはデータ値「０」が設定される。
【００６０】
また、方向フラグ３３８は、スライドの方向の判定結果を示すフラグである。たとえば、スライドの方向が上方向と判定されるとオンになり、下方向と判定されるとオフになる。
【００６１】
無操作カウンタ３４０は、一定時間（たとえば、６０秒）を計測するためのカウンタであり、初期化されるとカウントを開始する。また、無操作カウンタ３４０は無操作タイマとも呼ばれ、無操作タイマが実行されると、無操作カウンタ３４０は初期化されてカウントを開始する。そして、無操作タイマは、キー操作またはタッチ操作が行われる毎に初期化される。
【００６２】
なお、図示は省略するが、データ記憶領域３０４には、RTCが出力するデータを一時的
に記憶するバッファや、GUIを表示するための画像データなどが記憶されると共に、携帯
電話機１０の動作に必要なカウンタや、フラグも設けられる。
【００６３】
プロセッサ２４は、Android（登録商標）およびREXなどのLinux（登録商標）ベースのOSや、その他のOSの制御下で、図５に示すロック状態設定処理および図６に示すロック状
態解除処理などを含む、複数のタスクを並列的に処理する。
【００６４】
図５はロック状態設定処理のフロー図である。たとえば、携帯電話機１０の電源がオンにされると、プロセッサ２４はステップＳ１で、操作がされていないか否かを判断する。つまり、プロセッサ２４は、一定時間の間、タッチ操作やキー操作が行われなかったため、無操作タイマが満了したか否かを判断する。ステップＳ１で“ＹＥＳ”であれば、たとえば６０秒間、タッチ操作およびキー操作がされなければ、プロセッサ２４はステップＳ５に進む。一方、ステップＳ１で“ＮＯ”であれば、つまり無操作タイマが満了していなければ、プロセッサ２４はステップＳ３で、ロック状態を設定する操作がされたか否かを判断する。たとえば、プロセッサ２４は、終話キー２６ｃが操作されたか否かを判断する。ステップＳ３で“ＮＯ”であれば、つまりロック状態を設定する操作がされなければ、プロセッサ２４はステップＳ１に戻る。
【００６５】
一方、ステップＳ３で“ＹＥＳ”であれば、つまりロック状態を設定する操作がされれば、プロセッサ２４はステップＳ５で、ディスプレイ３０の電源をオフにする。つまり、プロセッサ２４は、ディスプレイ３０の電源をオフにする命令を、電源回路に出す。続いて、プロセッサ２４は、ステップＳ７でロック状態を設定し、ロック状態設定処理を終了する。つまり、プロセッサ２４は、ステップＳ７で、ロックフラグ３３６をオフに設定する。
【００６６】
なお、他の実施例では、ロック状態が設定されてからディスプレイ３０の電源がオフに
されてもよい。この場合、図５のロック状態設定処理では、ステップＳ５とステップＳ７との順番が入れ替わる。つまり、他の実施例では、ステップＳ７の処理が実行されてからステップＳ５の処理が実行される。
【００６７】
図６はロック状態解除処理のフロー図である。たとえば、ロック状態が設定されているときにメニューキー２６ｂが操作されると、プロセッサ２４はステップＳ２１で、ロック画面を表示する。つまり、プロセッサ２４は、ディスプレイ３０の電源をオンにする命令を出した後に、図３（Ａ）に示すロック画面をディスプレイ３０に表示する。なお、ステップＳ２１の処理を実行するプロセッサ２４は表示部として機能する。
【００６８】
続いて、プロセッサ２４は、ステップＳ２３でタッチされたか否かを判断する。つまり、タッチパネル制御回路３６によってタッチが検出されたか否かを判断する。ステップＳ２３で“ＮＯ”であれば、つまりタッチが検出されなければ、プロセッサ２４はステップＳ２３を繰り返し実行する。また、ステップＳ２３で“ＹＥＳ”であれば、つまりタッチが検出されれば、プロセッサ２４はステップＳ２５で、タッチ点を記憶する。つまり、タッチパネル制御回路３６によって検出されたタッチ点をタッチバッファ３３０に格納する。
【００６９】
続いて、プロセッサ２４は、ステップＳ２７で、スライドされたか否かを判断する。つまり、タッチパネル制御回路３６によってタッチが検出された状態で、タッチ位置がタッチ点と異なる座標であるか否かを判断する。ステップＳ２７で“ＮＯ”であれば、つまりタッチパネル３８に対してスライドされなければ、プロセッサ２４はステップＳ２７の処理を繰り返す。また、ステップＳ２７で“ＮＯ”であれば、つまりタッチパネル３８に対してスライドされると、プロセッサ２４はステップＳ２９で、スライドの方向を判定する。つまり、プロセッサ２４は、タッチ点とタッチ位置との縦軸座標に基づいてスライドの方向を判定する。また、判定結果に基づいて、方向フラグ３３８のオン／オフが設定される。なお、ステップＳ２９の処理を実行するプロセッサ２４は判定部として機能する。
【００７０】
続いて、プロセッサ２４は、ステップＳ３１で、特定の方向か否かを判断する。つまり、プロセッサ２４は、スライドの方向が上方向と判定され、方向フラグ３３８がオンであるか否かを判断する。ステップＳ３１で“ＮＯ”であれば、つまり方向フラグ３３８がオフ（スライドの方向が下方向）であれば、プロセッサ２４はステップＳ２７に戻る。また、ステップＳ３１で“ＹＥＳ”であれば、つまり方向フラグ３３８がオン（スライドの方向が上方向）であれば、プロセッサ２４はステップＳ３３で、スライドの距離を算出する。つまり、プロセッサ２４は、最初に接触した位置から接触部材が移動した距離（スライドの距離）を、三平方の定理を利用してタッチ位置とタッチ点とから算出する。なお、ステップＳ３３の処理を実行するプロセッサ２４は算出部として機能する。
【００７１】
続いて、プロセッサ２４は、ステップＳ３５で、オブジェクトの表示を更新する。つまり、プロセッサ２４は、図３（Ａ）に示すカーテンオブジェクトＣｏの表示を、算出されたスライドの距離に応じて変化させる。なお、ステップＳ３７の処理を実行するプロセッサ２４は更新部として機能する。
【００７２】
続いて、プロセッサ２４は、ステップＳ３７で、スライドの距離が所定値以上か否かを判断する。つまり、プロセッサ２４は、算出されたスライドの距離が、ロック状態を解除するに十分な距離（所定値）以上か否かを判断する。ステップＳ３７で“ＹＥＳ”であれば、つまり、スライドの距離がロック状態を解除するに十分な距離であれば、プロセッサ２４はステップＳ３９で、ロック状態を解除し、ロック状態解除処理を終了する。つまり、プロセッサ２４はロックフラグ３３６をオフに設定する。なお、ステップＳ３９の処理を実行するプロセッサ２４は解除部として機能する。
【００７３】
一方、ステップＳ３７で“ＮＯ”であれば、つまりスライドの距離がロック状態を解除するに十分な距離でなければ、プロセッサ２４はステップＳ４１でリリースされたか否かを判断する。つまり、プロセッサ２４は、タッチパネル制御回路３６によってリリースが検出されたか否かを判断する。ステップＳ４１で“ＮＯ”であれば、つまり、リリースが検出されなければ、プロセッサ２４はステップＳ３３に戻る。一方、ステップＳ４１で“ＹＥＳ”であれば、つまりリリースが検出されると、プロセッサ２４はステップＳ２１に戻る。
【００７４】
なお、図６に示すロック状態解除処理では、ステップＳ２９−Ｓ３１およびステップＳ３７，Ｓ４１の処理が省略されてもよい。この場合、スライドの方向および距離に関係なく、オブジェクトの表示が消えるまでスライドされれば、ロック状態が解除される。
【００７５】
また、上記ロック状態解除処理では、ステップＳ３７およびステップＳ４１の処理だけが省略されてもよい。この場合、スライドの距離に関係なく、特定の方向にスライドがされればロック状態が解除される。
【００７６】
また、ステップＳ３３の処理において、スライドの距離は、タッチ点およびリリース点から算出されることもある。つまり、スライドが素早く行われた場合、スライドの方向および距離はタッチ点およびリリース点から求められる。一方、スライドがゆっくり行われた場合、スライドの方向および距離はタッチ点および現在のタッチ位置から求められる。そのため、上記した第２位置には、リリース点だけでなく現在のタッチ位置も含まれる。
【００７７】
また、他の実施例では、ステップＳ３７の処理の後、リリースされたか否かが判断されてもよい。上記判断がされた場合、“ＹＥＳ”であれば、たとえば指が離されると、ステップＳ３９でロック状態が解除される。一方、“ＮＯ”であれば、たとえば指が離されなければ、指が離されるまで上記判断が繰り返される。このように処理することで、誤操作によってロック状態が解除されるのを防止することができる。
【００７８】
このように、第１実施例では、カーテンオブジェクトＣｏによって使用者にスライドを促すことができる。つまり、携帯電話機１０は、非言語情報によって使用者にスライドを促すことができる。そのため、携帯電話機１０は使用者が利用する言語に依存することなく、ロック状態を解除させることができる。
【００７９】
なお、第１実施例では、ロック状態を解除する操作におけるタッチ点は、カーテンオブジェクトＣｏの表示位置に依存しない。そのため、使用者は、上方向のスライドを行うことができる位置であれば、カーテンオブジェクトＣｏの表示位置に関係なく、任意の位置からスライドを始めればよい。
【００８０】
＜第２実施例＞
第２実施例では、カーテンオブジェクトＣｏに代えて扉オブジェクトＤｏによって、使用者にスライドを促す。なお、第２実施例の携帯電話機１０は、第１実施例と同じであるため、携帯電話機１０の電気的な構成、外観、ＲＡＭ３４のメモリマップおよびフロー図など、重複した説明は省略する。
【００８１】
図７（Ａ）−（Ｃ）を参照して、ロック状態が設定されているときに、メニューキー２６ｂが操作されると、図７（Ａ）に示すように、扉オブジェクトＤｏがディスプレイ３０に表示される。また、図７（Ａ）の扉オブジェクトＤｏが表示された状態で、上方向のスライドがされると、図７（Ｂ）に示すようにスライドの距離に応じて扉オブジェクトＤｏの扉が開き始める。さらに、スライドの距離が所定値以上になると、扉オブジェクトＤｏ
は図７（Ｃ）の状態になり、ロック状態は解除される。そして、一定時間（たとえば、１秒）が経過すると、扉オブジェクトＤｏは消え、図３（Ｃ）に示すように、待機画像が表示される。
【００８２】
ここで、図６に示すロック解除処理を用いて説明すると、ステップＳ２１の処理が実行されると、ディスプレイ３０の表示は図７（Ａ）の状態となる。また、ステップＳ３５の処理が実行されると、ディスプレイ３０の表示が図７（Ｂ）または図７（Ｃ）の状態になる。そして、ディスプレイ３０の表示が図７（Ｃ）の状態になったときには、ステップＳ３９の処理が実行されるため、ロック状態が解除される。
【００８３】
なお、図７（Ａ）−（Ｃ）では、両開き扉あったが、片開き扉や、引き扉などであってもよい。また、鍵穴に鍵が挿入された後に扉が開くようにすることで、ロック状態が解除されたことをより明確に示すようにしてもよい。
【００８４】
＜第３実施例＞
第３実施例では、カーテンオブジェクトＣｏや、扉オブジェクトＤｏに代えて花オブジェクトＦｏによって、使用者にスライドを促す。なお、第３実施例の携帯電話機１０は、第１実施例と同じであるため、携帯電話機１０の電気的な構成、外観、ＲＡＭ３４のメモリマップおよびフロー図など、重複した説明は省略する。
【００８５】
図８（Ａ）−（Ｃ）を参照して、ロック状態が解除されているときに、メニューキー２６ｂが操作されると、図８（Ａ）に示すように、花オブジェクトＦｏがディスプレイ３０に表示される。また、花オブジェクトＦｏが表示された状態で、上方向のスライドがされると、図８（Ｂ）に示すようにスライドの距離に応じて花オブジェクトＦｏが開花し始める。さらに、スライドの距離が所定値以上になると、図８（Ｃ）に示すように花オブジェクトＦｏは完全に開花し、ロック状態は解除される。そして、第２実施例と同様、一定時間が経過すると、花オブジェクトＦｏは消え、図３（Ｃ）のように、待機画像が表示される。
【００８６】
ここで、図６に示すロック解除処理を用いて第３実施例を説明すると、ステップＳ２１の処理が実行されると、ディスプレイ３０の表示は図８（Ａ）の状態になる。また、ステップＳ３５の処理が実行されると、ディスプレイ３０の表示が図８（Ｂ）または図８（Ｃ）の状態になる。さらに、ディスプレイ３０の表示が図８（Ｃ）の状態になると、ステップＳ３９の処理が実行されるため、ロック状態が解除される。
【００８７】
なお、図８（Ａ）−（Ｃ）では、花オブジェクトＦｏはバラ科の花によって示されたが、他の種類の花によって示されてもよいことは言うまでも無い。また、花オブジェクトＦｏによって示される花は１本だけでなく、複数の花によって示されてもよい。この場合、ロック状態を解除する操作がされると、全ての花が同時に開花する。
【００８８】
このように、第２実施例および第３実施例から分かるように、様々な種類のオブジェクトを利用して、使用者にスライドを促すことができる。
【００８９】
以上の説明から分かるように、携帯電話機１０は、タッチ、リリースおよびスライドなどのタッチ操作が行われるタッチパネル３８を有し、電話機能などを実行するためのタッチ操作を無効にするロック状態を設定できる。たとえば、ロック状態が設定さているときにメニューキー２６ｃが操作されると、ロック状態を解除するためのスライドを促すカーテンオブジェクトＣｏ、扉オブジェクトＤｏまたは花オブジェクトＦｏがディスプレイ３０に表示される。また、プロセッサ２４は、スライドが行われるとタッチ点と現在のタッチ位置との座標から、スライドの距離および方向を算出する。そして、上方向に所定距離
のスライドが行われると、ロック状態は解除される。
【００９０】
このように、携帯電話機１０は、ロック状態を解除するための操作を促す、オブジェクトを表示することで、使用者が利用する言語に関係なく、ロック状態を解除させることができる。
【００９１】
なお、第１実施例−第３実施例で示されるオブジェクトは、使用者によって任意に選択できてもよい。
【００９２】
また、ディスプレイ３０に表示される、カーテンオブジェクトＣｏ、扉オブジェクトＤｏおよび花オブジェクトＦｏに、点滅などの視覚効果を与えることで、ロック状態を解除する操作をより強く促してもよい。
【００９３】
また、他の実施例では、ロック状態を解除するための所定の距離を、オブジェクトともに表示してもよい。
【００９４】
また、特定の方向とは、上方向だけに限らず、下方向、左方向および右方向であってもよい。
【００９５】
また、本実施例では、ロック状態は終話キー２６ｃに対する操作だけでなく、予め定めた操作を入力することで設定されてもよい。たとえば、他の実施例では、キー入力装置２６の所定のキーを所定回数押下することによってロック状態が設定されてもよい。そして、上述した終話キー２６ｃについても同様であるが、無操作状態を所定時間継続することなく、使用者の所望のタイミングで即座にロック状態を設定することができるため、使用者の利便性が向上する。
【００９６】
また、携帯電話機１０の通信方式はCDMA方式であるが、LTE(Long Term Evolution)方式、W-CDMA方式、GSM方式、TDMA方式、FDMA方式およびPHS方式などが採用されてもよい。
【００９７】
また、ロック状態設定プログラム３１０およびロック状態解除プログラム３１２は、データ配信用のサーバのHDDに記憶され、ネットワークを介して携帯電話機１０に配信され
てもよい。また、CD,DVD,BD(Blu-ray Disc)などの光学ディスク、USBメモリおよびメモリカードなどの記憶媒体にこれらのプログラムを記憶させた状態で、その記憶媒体が販売または配布されてもよい。そして、上記したサーバや記憶媒体などを通じてダウンロードされた、ロック状態設定プログラム３１０およびロック状態解除プログラム３１２が、本実施例と同等の構成の携帯電話機にインストールされた場合、本実施例と同等の効果が得られる。
【００９８】
さらに、本実施例は、携帯電話機１０のみに限らず、スマートフォンおよびPDA(Personal Digital Assistant)などに適用されてもよい。
【００９９】
そして、本明細書中で挙げた、一定時間などの具体的な数値は、いずれも単なる一例であり、製品の仕様などの必要に応じて適宜変更可能である。
【符号の説明】
【０１００】
１０    …  携帯電話機
１２    …  アンテナ
１４    …  無線通信回路
２４    …  プロセッサ
２６    …  キー入力装置
３４    …  ＲＡＭ
３６    …  タッチパネル制御回路
３８    …  タッチパネル
【図１】
2014195311.tif 000003
【図２】
2014195311.tif 000004
【図３】
2014195311.tif 000005
【図４】
2014195311.tif 000006
【図５】
2014195311.tif 000007
【図６】
2014195311.tif 000008
【図７】
2014195311.tif 000009
【図８】
2014195311.tif 000010
【手続補正書】
【提出日】平成26年6月25日(2014.6.25)
【手続補正１】
【補正対象書類名】明細書
【補正対象項目名】０００７
【補正方法】変更
【補正の内容】
【０００７】
第１の発明は、所定の機能が実行されないようにするロック状態を設定することが可能な、携帯端末であって、ロック状態が設定されているときに、第１画像の少なくとも一部を覆うように第２画像を表示する表示部、使用者の所定の操作に応じて第２画像を移動させる移動部、および第２画像の移動に伴って第１画像が徐々に表示され、第１画像と第２画像とのうち第１画像のみが表示部に表示されたとき、ロック状態を解除する解除部を備え、表示部は、ロック状態が解除された後も第１画像を表示する、携帯端末である。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
第２の発明は、第１の発明に従属し、第２画像は、所定の処理が中断されたとき、所定の操作が行われる前の位置に表示する。
第３の発明は、第１の発明または第２の発明に従属し、タッチパネルをさらに備え、所定の操作は、特定の方向にタッチ位置をスライドさせる操作を含む。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
第４の発明は、所定の機能が実行されないようにするロック状態を設定することが可能であり、ロック状態が設定されているときに、第１画像の少なくとも一部を覆うように第２画像を表示する表示部を有する、携帯端末のプロセッサを、使用者の所定の操作に応じて第２画像を移動させる移動部、および第２画像の移動に伴って第１画像が徐々に表示され、第１画像と第２画像とのうち第１画像のみが表示部に表示されたとき、ロック状態を解除する解除部として機能させ、表示部は、ロック状態が解除された後も第１画像を表示する、ロック解除プログラムである。
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
第５の発明は、所定の機能が実行されないようにするロック状態を設定することが可能であり、ロック状態が設定されているときに、第１画像の少なくとも一部を覆うように第２画像を表示する表示部を有する、携帯端末におけるロック解除方法であって、携帯端末のプロセッサが、使用者の所定の操作に応じて第２画像を移動させる移動ステップ、および第２画像の移動に伴って第１画像が徐々に表示され、第１画像と第２画像とのうち第１画像のみが表示部に表示されたとき、ロック状態を解除する解除ステップを実行し、表示部は、ロック状態が解除された後も第１画像を表示する、ロック解除方法である。
【手続補正１８】
【補正対象書類名】明細書
【補正対象項目名】００２４
【補正方法】削除
【補正の内容】
【手続補正１９】
【補正対象書類名】特許請求の範囲
【補正対象項目名】全文
【補正方法】変更
【補正の内容】
【特許請求の範囲】
【請求項１】
所定の機能が実行されないようにするロック状態を設定することが可能な、携帯端末であって、
前記ロック状態が設定されているときに、第１画像の少なくとも一部を覆うように第２画像を表示する表示部、
使用者の所定の操作に応じて前記第２画像を移動させる移動部、および
前記第２画像の移動に伴って前記第１画像が徐々に表示され、前記第１画像と前記第２画像とのうち前記第１画像のみが前記表示部に表示されたとき、ロック状態を解除する解除部を備え、
前記表示部は、前記ロック状態が解除された後も前記第１画像を表示する、携帯端末。
【請求項２】
前記第２画像は、前記所定の処理が中断されたとき、前記所定の操作が行われる前の位置に表示する、請求項１記載の携帯端末。
【請求項３】
タッチパネルをさらに備え、
前記所定の操作は、特定の方向にタッチ位置をスライドさせる操作を含む、請求項１または２記載の携帯端末。
【請求項４】
所定の機能が実行されないようにするロック状態を設定することが可能であり、前記ロック状態が設定されているときに、第１画像の少なくとも一部を覆うように第２画像を表示する表示部を有する、携帯端末のプロセッサを、
使用者の所定の操作に応じて前記第２画像を移動させる移動部、および
前記第２画像の移動に伴って前記第１画像が徐々に表示され、前記第１画像と前記第２画像とのうち前記第１画像のみが前記表示部に表示されたとき、ロック状態を解除する解除部として機能させ、
前記表示部は、前記ロック状態が解除された後も前記第１画像を表示する、ロック解除プログラム。
【請求項５】
所定の機能が実行されないようにするロック状態を設定することが可能であり、前記ロック状態が設定されているときに、第１画像の少なくとも一部を覆うように第２画像を表示する表示部を有する、携帯端末におけるロック解除方法であって、前記携帯端末のプロセッサが、
使用者の所定の操作に応じて前記第２画像を移動させる移動ステップ、および
前記第２画像の移動に伴って前記第１画像が徐々に表示され、前記第１画像と前記第２画像とのうち前記第１画像のみが前記表示部に表示されたとき、ロック状態を解除する解除ステップを実行し、
前記表示部は、前記ロック状態が解除された後も前記第１画像を表示する、ロック解除方法。